【手続補正書】
【提出日】平成26年4月30日(2014.4.30)
【手続補正１】
【補正対象書類名】明細書
【補正対象項目名】００４４
【補正方法】変更
【補正の内容】
【００４４】
第１導電部１１４Ａには、第１大格子１１８Ａの辺の周囲に、第１大格子１１８Ａと非接続とされた上述の第１補助パターン１２０Ａが形成されている。ここで、第１補助パターン１２０Ａは、第１大格子１１８Ａの斜辺のうち、第１傾斜方向に沿った斜辺の第１階段状パターン１２４Ａに沿って配列された複数の第１補助線１３０Ａ（第２傾斜方向を軸線方向とする）と、第１大格子１１８Ａの斜辺のうち、第２傾斜方向に沿った斜辺の第１階段状パターン１２４Ａに沿って配列された複数の第１補助線１３０Ａ（第１傾斜方向を軸線方向とする）と、２つの第１補助線１３０ＡがＬ字状に組み合わされた第１Ｌ字状パターン１３１Ａとを有する。
【手続補正２】
【補正対象書類名】明細書
【補正対象項目名】００４６
【補正方法】変更
【補正の内容】
【００４６】
第１Ｌ字状パターン１３１Ａは、第１階段状パターン１２４Ａの段差１２２近傍において第１傾斜方向を軸線方向とする第１補助線１３０Ａと、第２傾斜方向を軸線方向とする第１補助線１３０Ａとが組み合わされて構成されている。第１Ｌ字状パターン１３１Ａとしては、段差１２２の隅部に対向する第１Ｌ字状パターン１３１Ａと、第１大格子１１８Ａ間の第１非接続部１３８Ａに配置される第１Ｌ字状パターン１３１Ａとがある。図１８に示すように、第１非接続部１３８Ａに配置される第１Ｌ字状パターン１３１Ａは、一つの第１大格子１１８Ａの垂直方向の頂角部近傍に配置された２つの第１補助線１３０Ａと、他の隣接する第１大格子１１８Ａの頂角部近傍に配置された２つの第１補助線１３０Ａとが、組み合わされることによって、２つの第１Ｌ字状パターン１３１Ａが、水平方向に沿って互いに対向するように形成される。
【手続補正３】
【補正対象書類名】明細書
【補正対象項目名】００５８
【補正方法】変更
【補正の内容】
【００５８】
第２導電部１１４Ｂには、第２大格子１１８Ｂの辺の周囲に、第２大格子１１８Ｂと非接続とされた上述の第２補助パターン１２０Ｂが形成されている。ここで、第２補助パターン１２０Ｂは、第２大格子１１８Ｂの斜辺のうち、第２傾斜方向に沿った斜辺の第１階段状パターン１２４Ｂに沿って配列された複数の第２補助線１３０Ｂ（第１傾斜方向を軸線方向とする）と、第２大格子１１８Ｂの斜辺のうち、第１傾斜方向に沿った斜辺の第１階段状パターン１２４Ｂに沿って配列された複数の第２補助線１３０Ｂ（第２傾斜方向を軸線方向とする）と、２つの第２補助線１３０ＢがＬ字状に組み合わされた第２Ｌ字状パターン１３１Ｂとを有する。
【手続補正４】
【補正対象書類名】明細書
【補正対象項目名】００６０
【補正方法】変更
【補正の内容】
【００６０】
第２Ｌ字状パターン１３１Ｂは、第１階段状パターン１２４Ｂの段差１２２近傍において第２傾斜方向を軸線方向とする第２補助線１３０Ｂと、第２傾斜方向を軸線方向とする第２補助線１３０Ｂとが組み合わされて構成されている。第２Ｌ字状パターン１３１Ｂとしては、段差１２２の隅部に対向する第２Ｌ字状パターン１３１Ｂと、第２大格子１１８Ｂ間の第２非接続部１３８Ｂに配置される第２Ｌ字状パターン１３１Ｂとがある。図１９に示すように、第２非接続部１３８Ｂに配置される第２Ｌ字状パターン１３１Ｂは、一つの第２大格子１１８Ｂの水平方向の頂角部近傍に配置された２つの第２補助線１３０Ｂと、他の隣接する第２大格子１１８Ｂの頂角部近傍に配置された２つの第２補助線１３０Ｂとが、組み合わされることによって、２つの第２Ｌ字状パターン１３１Ｂが、垂直方向に沿って互いに対向するように形成される。
【手続補正５】
【補正対象書類名】特許請求の範囲
【補正対象項目名】全文
【補正方法】変更
【補正の内容】
【特許請求の範囲】
【請求項１】
基体と、
基体の一方の主面に形成された導電部とを有し、
前記導電部は、それぞれ第１方向に延在し、且つ、前記第１方向と直交する第２方向に配列された金属細線による２以上の導電パターンを有し、
前記導電パターンは、２以上の感知部が前記第１方向に接続されて構成され、
前記感知部は複数の格子にて構成され、
各前記格子の前記第２方向に沿った長さをＬｖｓ、前記第１方向に沿った長さをＬｈｓとしたとき、
０．５７＜Ｌｖｓ／Ｌｈｓ＜１．００、又は
１．００＜Ｌｖｓ／Ｌｈｓ＜１．７４
を満足することを特徴とする導電性フイルム。
【請求項２】
基体と、
基体の一方の主面に形成された第１導電部と、
基体の他方の主面に形成された第２導電部とを有し、
前記第１導電部は、それぞれ第１方向に延在し、且つ、前記第１方向と直交する第２方向に配列された２以上の第１導電パターンを有し、
前記第２導電部は、それぞれ第２方向に延在し、且つ、前記第１方向に配列された２以上の第２導電パターンを有し、
前記第１導電パターンは、２以上の第１の感知部が前記第１方向に接続されて構成され、
前記第２導電パターンは、２以上の第２の感知部が前記第２方向に接続されて構成され、
前記感知部は複数の格子にて構成され、
各前記格子の前記第２方向に沿った長さをＬｖｓ、前記第１方向に沿った長さをＬｈｓとしたとき、
０．５７＜Ｌｖｓ／Ｌｈｓ＜１．００、又は
１．００＜Ｌｖｓ／Ｌｈｓ＜１．７４
を満足することを特徴とする導電性フイルム。
【請求項３】
請求項１又は２記載の導電性フイルムにおいて、
各前記感知部がそれぞれ複数の金属細線によるメッシュパターンにて構成され、
前記金属細線のピッチが１００〜４００μｍであることを特徴とする導電性フイルム。
【請求項４】
請求項１又は２記載の導電性フイルムにおいて、
各前記感知部がそれぞれ複数の金属細線によるメッシュパターンにて構成され、
前記金属細線の線幅が３０μｍ以下であることを特徴とする導電性フイルム。
【請求項５】
請求項１又は２記載の導電性フイルムにおいて、
０．５７＜Ｌｖｓ／Ｌｈｓ＜１．００
を満足することを特徴とする導電性フイルム。
【請求項６】
請求項１又は２記載の導電性フイルムにおいて、
前記感知部の辺の周囲に、複数の補助線からなる補助パターンが配列されて構成され、
前記補助パターンは、２つの前記補助線がＬ字状に組み合わされたＬ字状パターンを有することを特徴とする導電性フイルム。
【請求項７】
基体と、
基体の一方の主面に形成された導電部とを有し、
前記導電部は、複数の開口部を有するメッシュパターンから構成されており、当該メッシュパターンの各前記開口部はひし形状を有し、
前記ひし形状の一方の対角線の長さをＬｖｐ、他方の対角線の長さをＬｈｐとしたとき、
０．５７＜Ｌｖｐ／Ｌｈｐ＜１．００、又は
１．００＜Ｌｖｐ／Ｌｈｐ＜１．７４
を満足することを特徴とする導電性フイルム。
【請求項８】
表示パネル上に設置された導電性フイルムを備える表示装置であって、
前記導電性フイルムは、
基体と、
基体の一方の主面に形成された導電部とを有し、
前記表示装置の画素の配列方向を第１方向としたとき、
前記導電部は、それぞれ第１方向に延在し、且つ、前記第１方向と直交する第２方向に配列された金属細線による２以上の導電パターンを有し、
前記導電パターンは、２以上の感知部が前記第１方向に接続されて構成され、
前記感知部は複数の格子にて構成され、
各前記格子の前記第２方向に沿った長さをＬｖｓ、前記第１方向に沿った長さをＬｈｓとしたとき、
０．５７＜Ｌｖｓ／Ｌｈｓ＜１．００、又は
１．００＜Ｌｖｓ／Ｌｈｓ＜１．７４
を満足することを特徴とする表示装置。
【請求項９】
表示パネル上に設置された導電性フイルムを備える表示装置であって、
前記導電性フイルムは、
基体と、
基体の一方の主面に形成された第１導電部と、
基体の他方の主面に形成された第２導電部とを有し、
前記表示装置の画素の配列方向を第１方向としたとき、
前記第１導電部は、それぞれ第１方向に延在し、且つ、前記第１方向と直交する第２方向に配列された２以上の第１導電パターンを有し、
前記第２導電部は、それぞれ第２方向に延在し、且つ、前記第１方向に配列された２以上の第２導電パターンを有し、
前記第１導電パターンは、２以上の第１の感知部が前記第１方向に接続されて構成され、
前記第２導電パターンは、２以上の第２の感知部が前記第２方向に接続されて構成され、
前記感知部は複数の格子にて構成され、
各前記格子の前記第２方向に沿った長さをＬｖｓ、前記第１方向に沿った長さをＬｈｓとしたとき、
０．５７＜Ｌｖｓ／Ｌｈｓ＜１．００、又は
１．００＜Ｌｖｓ／Ｌｈｓ＜１．７４
を満足することを特徴とする表示装置。
【請求項１０】
請求項８又は９記載の表示装置において、
各前記感知部がそれぞれ複数の金属細線によるメッシュパターンにて構成され、
前記金属細線のピッチが１００〜４００μｍであることを特徴とする表示装置。
【請求項１１】
請求項８又は９記載の表示装置において、
各前記感知部がそれぞれ複数の金属細線によるメッシュパターンにて構成され、
前記金属細線の線幅が３０μｍ以下であることを特徴とする表示装置。
【請求項１２】
請求項８又は９記載の表示装置において、
０．５７＜Ｌｖｓ／Ｌｈｓ＜１．００
を満足することを特徴とする表示装置。
【請求項１３】
請求項８又は９記載の表示装置において、
前記感知部の辺の周囲に、複数の補助線からなる補助パターンが配列されて構成され、
前記補助パターンは、２つの前記補助線がＬ字状に組み合わされたＬ字状パターンを有することを特徴とする表示装置。
【請求項１４】
表示パネル上に設置された導電性フイルムを備える表示装置であって、
前記導電性フイルムは、
基体と、
基体の一方の主面に形成された導電部とを有し、
前記導電部は、複数の開口部を有するメッシュパターンから構成されており、当該メッシュパターンの各前記開口部はひし形状を有し、
前記ひし形状の一方の対角線の長さをＬｖｐ、他方の対角線の長さをＬｈｐとしたとき、
０．５７＜Ｌｖｐ／Ｌｈｐ＜１．００、又は
１．００＜Ｌｖｐ／Ｌｈｐ＜１．７４
を満足することを特徴とする表示装置。